(57)【要約】【課題】丸鋸により板材等を直角に正確に切断できる上、板材等を所望の角度で正確に切断できて使い勝手がよく、施工性・経済性に優れた丸鋸用ガイド定規を提供する。【解決手段】押え板１の一端に、丸鋸による切断をガイドする切断案内定規２が垂直方向に取り付けられていると共に、前記押え板１の下端に水平当接部３が水平方向に取り付けられているＬ型状のガイド定規であって、角度目盛４が表示された角度目盛表示部５や寸勾配尺目盛７が表示された勾配尺目盛表示部８が、前記押え板１の上面１０に設けられている。角度目盛表示部５は、水平当接部３から切断案内定規２に至る押え板１の上面１０において、角度目盛４が０度〜９０度の範囲で円弧状に表示され、近傍に窓孔６が形成されている。【選択図】      図１
0003121513.tif 000002
【実用新案登録請求の範囲】
【請求項１】
押え板の一端に、丸鋸による切断をガイドする切断案内定規が垂直方向に取り付けられていると共に、前記押え板の下端に水平当接部が水平方向に取り付けられているＬ型状のガイド定規であって、角度目盛が表示された角度目盛表示部が、前記押え板の上面に設けられていることを特徴とする丸鋸用ガイド定規。
【請求項２】
角度目盛表示部は、水平当接部から切断案内定規に至る押え板の上面において、角度目盛が０度〜９０度の範囲で、円弧状に表示されて成ることを特徴とする、請求項１に記載した丸鋸用ガイド定規。
【請求項３】
水平当接部と切断案内定規が直交する位置に、０数字で表示した基準点が記されていることを特徴とする、請求項１又は請求項２に記載した丸鋸用ガイド定規。
【請求項４】
押え板の上面に、尺貫法による寸勾配尺目盛で表示された勾配尺目盛表示部が設けられていることを特徴とする、請求項１又は請求項２に記載した丸鋸用ガイド定規。
【請求項５】
角度目盛表示部、勾配尺目盛表示部又は基準点の近傍に、押え板を貫通して成る窓孔が形成されていることを特徴とする、請求項１又は請求項２又は請求項３又は請求項４に記載した丸鋸用ガイド定規。
【請求項６】
押え板の上面に、寸勾配尺目盛と角度目盛の換算を表示した勾配換算表が設けられていることを特徴とする、請求項１又は請求項２又は請求項４又は請求項５に記載した丸鋸用ガイド定規。
【請求項７】
押え板の上面に取手が設置されていると共に、当該取手の下方における手指の挿込み口周辺が空所な挿込みスペースに形成されていることを特徴とする、請求項１又は請求項２又は請求項４又は請求項５又は請求項６に記載した丸鋸用ガイド定規。
【請求項８】
押え板の裏面に、ゴム製等の辷り止め体が設けられていることを特徴とする、請求項１又は請求項２又は請求項４又は請求項５又は請求項６又は請求項７に記載した丸鋸用ガイド定規。
【請求項９】
水平当接部が、捨て木を内包する捨て木ガイド体を兼用して成ることを特徴とする、請求項１又は請求項２又は請求項３に記載した丸鋸用ガイド定規。
【考案の詳細な説明】
【技術分野】
【０００１】
本考案は、電動丸鋸を案内しつつ同丸鋸等により、外壁ボードや木製板等（以下、板材等という）を直角に、又は所望の角度方向に、正確に切断する丸鋸用ガイド定規の技術分野に関する。
【背景技術】
【０００２】
丸鋸による板材の切断に際しては、押え板に水平配置の当接部（スライド体）と切断案内定規（ガイド板）を備えた丸鋸用ガイド定規が公知である。
【０００３】
例えば、実用新案登録第３０７６２１８号公報には、水平配置のスライド体（２）と、垂直配置のガイド板（４）とを備え、これらスライド体（２）とガイド板（４）とが、同ガイド板（４）がスライド体（２）の右端上面に位置するように厚さ約１ｍｍのステンレス製のガセットプレート（６）を介して直角に固定されており、当該ガセットプレート（６）の上面に取扱いが容易な握り（８）が設けられて成る切断工具用定規が開示されている（当該公報の図１参照）。
【特許文献１】実用新案登録第３０７６２１８号登録実用新案公報
【考案の開示】
【考案が解決しようとする課題】
【０００４】
上記実用新案登録第３０７６２１８号の公報に開示された切断工具用定規によれば、丸鋸を使って板材等を直角（上下方向）に切断するには適している。
【０００５】
しかし、当該定規には角度が表示されていないので、所望の角度で板材を切断しようとする場合、この定規を所望する角度に傾けて位置を決定することが不可能である。そのため、この従来の定規によっては、板材を所望の角度で正確に切断することはできない不便さがあり、かかる点が問題となっている。
【０００６】
したがって、本考案の目的は、丸鋸により板材等を直角に正確に切断できる上、板材等を所望の角度で正確に切断できて使い勝手がよく、施工性・経済性に優れた丸鋸用ガイド定規を提供することにある。
【課題を解決するための手段】
【０００７】
上記課題を解決する手段として、請求項１記載の考案の丸鋸用ガイド定規は、押え板１の一端に、丸鋸による切断をガイドする切断案内定規２が垂直方向に取り付けられていると共に、前記押え板１の下端に水平当接部３が水平方向に取り付けられているＬ型状のガイド定規であって、角度目盛４が表示された角度目盛表示部５が、前記押え板１の上面１０に設けられていることを特徴とする。
【０００８】
請求項２記載の考案の丸鋸用ガイド定規は、前記角度目盛表示部５が、水平当接部３から切断案内定規２に至る押え板１の上面１０において、角度目盛４が０度〜９０度の範囲で、円弧状に表示されて成ることを特徴とする。
【０００９】
請求項３記載の考案の丸鋸用ガイド定規は、前記水平当接部３と切断案内定規２が直交する位置に、０数字で表示した基準点Ｐが記されていることを特徴とする。
【００１０】
請求項４記載の考案の丸鋸用ガイド定規は、前記押え板１の上面１０に、尺貫法による寸勾配尺目盛７で表示された勾配尺目盛表示部８が設けられていることを特徴とする。
【００１１】
請求項５記載の考案の丸鋸用ガイド定規は、前記角度目盛表示部５、寸勾配尺目盛８又は基準点Ｐの近傍に、押え板１を貫通して成る窓孔６が形成されていることを特徴とする。
【００１２】
請求項６記載の考案の丸鋸用ガイド定規は、前記押え板１の上面１０に、寸勾配尺目盛７と角度目盛４の換算を表示した勾配換算表Ｋが設けられていることを特徴とする。
【００１３】
請求項７記載の考案の丸鋸用ガイド定規は、前記押え板１の上面１０に取手９が設置されていると共に、当該取手９の下方における手指の挿込み口周辺が空所な挿込みスペース１２に形成されていることを特徴とする。
【００１４】
請求項８記載の考案の丸鋸用ガイド定規は、前記押え板１の裏面１１に、ゴム製等の辷り止め体１３が設けられていることを特徴とする。
【００１５】
請求項９記載の考案の丸鋸用ガイド定規は、前記水平当接部３が、捨て木１４を内包する捨て木ガイド体１５を兼用して成ることを特徴とする。
【考案の効果】
【００１６】
請求項１記載の丸鋸用ガイド定規は、押え板の一端に、丸鋸による切断をガイドする切断案内定規が垂直方向に取り付けられていると共に、前記押え板の下端に水平当接部が水平方向に取り付けられているＬ型状のガイド定規であって、角度目盛が表示された角度目盛表示部が、前記押え板の上面に設けられているので、切断案内定規に沿って丸鋸で垂直に板材等を正確に切断できることは勿論のこと、板材等を所望の角度で切断する際には、角度目盛表示部の角度目盛を利用して印を付け、その印に従って当該定規を傾斜状態に位置決め固定し、板材等を所望の角度で正確に切断できる利便性に優れ、作業効率がよい。また、かかる簡単な構成で当該ガイド定規を低コストで製作できる経済性にも優れている。
【００１７】
請求項２記載の丸鋸用ガイド定規によれば、角度目盛表示部は、水平当接部から切断案内定規に至る押え板の上面において、角度目盛が０度〜９０度の範囲で円弧状に表示されて成るので見やすく、所望角度の設定を簡単に行える。
【００１８】
請求項３記載の丸鋸用ガイド定規によれば、水平当接部と切断案内定規が直交する位置に、０数字で表示した基準点が記されているので、当該０表示の基準点を基準とする傾斜角度の設定を行いやすい。
【００１９】
請求項４記載の丸鋸用ガイド定規によれば、押え板の上面に、尺貫法による寸勾配尺目盛で表示された勾配尺目盛表示部が設けられているので、寸勾配尺による傾斜角度の割りだしも可能である。
【００２０】
請求項５記載の丸鋸用ガイド定規によれば、角度目盛表示部や勾配尺目盛表示部又は基準点の近傍に、押え板を貫通して成る窓孔が形成されているので、基準点近くの窓孔直下の板材等に点印を付けると共に、角度目盛表示部や勾配尺目盛表示部に表示された所望の角度目盛近くの窓孔直下の板材等に点印を付け、両点印を線で結ぶことにより、所望の角度で板材等を切断する箇所を正確に導き出すことができ作業効率の向上に寄与する。
【００２１】
請求項６記載の丸鋸用ガイド定規によれば、押え板の上面に、寸勾配尺目盛と角度目盛の換算を表示した勾配換算表が設けられているので、現場作業時にこの勾配換算表を利用して簡単に換算でき便利である。
【００２２】
請求項７記載の丸鋸用ガイド定規によれば、押え板の上面に取手が設置されていると共に、当該取手の下方における手指の挿込み口周辺が空所な挿込みスペースに形成されているので、作業者が取手を握りやすい。
【００２３】
請求項８記載の丸鋸用ガイド定規によれば、押え板の裏面に、ゴム製等の辷り止め体が設けられているので、位置決めした際に当該辷り止め体により板材等の上で当該定規がしっかりと固定され作業効率がよい。
【００２４】
請求項９記載の丸鋸用ガイド定規によれば、水平当接部が、捨て木を内包する捨て木ガイド体を兼用して成るので、捨て木を保持しつつ水平当接部を板材等の端部に当接できる作業性にも優れている。
【考案を実施するための最良の形態】
【００２５】
本実施形態の丸鋸用ガイド定規は、例えば、家屋を形成する外壁ボードや木製板の板材等を、電動丸鋸を案内しつつ同丸鋸等により、直角に切断したり、所望の角度に切断する際に使用されるものである。或いは、図示を省略する石こうボード等をカッターで切断する際に、カッターのガイド定規としても使用できるものである。以下、本考案の好適な実施形態を、図面に基づいて説明する。但し、本実施形態に限定されるものではない。
【００２６】
図１〜図４は、この丸鋸用ガイド定規の構成を示しており、図５は所望角度での使用例を示している。
【００２７】
本実施形態の丸鋸用ガイド定規は、アルミニウム製の平板な押え板１と、同押え板１に取り付けられたステンレス製の切断案内定規２で基本的に形成され、軽量化が図られた構成となっている。すなわち、押え板１の右端１Ａに、丸鋸（図示は省略）による切断をガイドする目盛付の切断案内定規２（全長は例えば６００ｍｍや１０００ｍｍ）が垂直方向に取り付けられていると共に、前記押え板１の下端１Ｂに水平当接部３（後述）が水平方向に取り付けられており、全体形状がＬ型状に似た形に形成されている。
【００２８】
押え板１の下端１Ｂの裏面１１に、捨て木１４を内包する細溝形状の捨て木ガイド体１５が取り付けられており、当該捨て木ガイド体１５の内側面が水平当接部３に形成されている（図３）。よって、前記水平当接部３が、板材２０の基端に当接して固定されると共に、捨て木１４のガイド体１５を兼用している。捨て木１４は、ガイド体１５の右方から所望長さ分突き出した後、固定ネジ１６で固定され、切り出しの位置合わせに供される。
【００２９】
前記押え板１の左方や上方部分は、湾曲状に形成されており、その湾曲状上方の上面１０に取手９が設置されている。また、当該取手９の直下部分は、取手９を握るときに手指を挿込みやすいように深く切り込んで湾曲する空所な挿込みスペース１２として形成されている。なお、当該取手９が接続された押え板１の裏面１１（２箇所）に、ゴム製で形成された辷り止め体１３が２箇所設けられている（図４）。
【００３０】
上述の押え板１の上面１０に、角度目盛４が表示された角度目盛表示部５と、尺貫法による寸勾配尺目盛７で表示された勾配尺目盛表示部８が設けられている。更に、これら寸勾配尺目盛７と角度目盛４の換算を表示した勾配換算表Ｋが設けられた形態で好適に実施される（詳細は後述）。
【００３１】
角度目盛表示部５は、水平当接部３から切断案内定規２に至る押え板１の上面１０において、角度目盛４が０度〜９０度の範囲を１度刻みで円弧状に表示され、１０度ごとには「１０」「２０」・・・「７０」「８０」の数字でも表示されている。と共に、前記角度目盛４の内側部分に、対応する主要な寸勾配尺目盛７も表示さている。すわなち、尺貫法による主要な寸勾配尺目盛７で表示された勾配尺目盛表示部８が、「２．０寸」「２．５寸」・・・「５．０寸」「５．５寸」のように表示して設けられている。
【００３２】
そして、前記の寸勾配尺目盛７と角度目盛４の換算を表示した勾配換算表Ｋが、押え板１の上面１０の空きスペース、例えば左方位置に設けられている。この勾配換算表Ｋとしては、例えば、図６に示したような一覧表示したものが好適に使用される。
【００３３】
また、前記水平当接部３と切断案内定規２が直交するコーナー位置近傍の切断案内定規２の上面に、「０」の数字で表示した基準点Ｐが記されている。
【００３４】
さらに、前記角度目盛表示部５や勾配尺目盛表示部８又は基準点Ｐの近傍に、押え板１を貫通して成る窓孔６が３箇所（６Ａ、６Ｂ、６Ｃ）形成されている。まず、円弧状に表示された上記角度目盛４の直近の外周部分における押え板１が細長い扇形状に貫通され、その貫通部分が窓部６Ａとして形成されている。また、勾配尺目盛表示部８の直近の内側部分における押え板１がやはり細長い扇形状に貫通され、その貫通部分が窓部６Ｂとして形成されている。更に、基準点Ｐの近傍の押え板１が扇形状（１／４円の形状）に貫通され、その貫通部分が窓部６Ｃとして形成されている。
【００３５】
したがって、板材を直角に９０度の角度で切断する場合は、上記ガイド定規の取手９を握持して、当該定規１の下端１Ｂの水平当接部３を、板材２０の下端縁に当接させ位置を決めたら、取手９の上方から押圧して固定しつつ、丸鋸を切断案内定規２に沿って摺動させれば板材２０を垂直に正確に切断することができる。
【００３６】
次に、板材を「５寸勾配」で切断する場合の使用例を、図５を参照しつつ説明する。なお、「５寸勾配」とは、図５Ｃに説示したように、底辺１尺に対する垂直方向長さが５寸のときの勾配を示しており、その傾斜角度は下記にように２６．５°となる（図６参照）。
【００３７】
まず基準点Ｐ近くの窓孔６Ｃの直下の板材２０上に点Ｓで印を付けると共に、寸勾配尺目盛表示部８の５寸勾配を示す「５．０」表示の勾配尺目盛７近くの窓孔６Ｂ直下の板材２０上に点Ｔで印を付ける。そして、勾配換算表Ｋで「５寸勾配」に対応する角度目盛が「２６．５°」であることを確認し、角度目盛表示部５の角度目盛４の「２６．５°」表示における窓孔６Ａの直下の板材２０上に点Ｕで印を付ける（図５Ａ）。そして、図５Ｂに示したように、これらの点Ｓ、Ｕ（Ｔ）の印を線Ｌで結び、その線Ｌに沿って板材２０を切断するだけで、正確に「５寸勾配」で切断することができる。
【図面の簡単な説明】
【００３８】
【図１】本考案の丸鋸用ガイド定規を示した全体図である。
【００３９】
【図２】丸鋸用ガイド定規の角度目盛表示部を中心に示した拡大部分図である。
【００４０】
【図３】図２のＡ−Ａ矢視断面により捨て木の固定状態を拡大して示した部分断面図である。
【００４１】
【図４】丸鋸用ガイド定規の裏面図である。
【００４２】
【図５】Ａ、Ｂは５寸勾配での切断要領を示した正面図、Ｃは５寸勾配の説明図である。
【００４３】
【図６】勾配換算表の例を示した正面図である。
【符号の説明】
【００４４】
１        押え板
２        切断案内定規
３        水平当接部
４        角度目盛
５        角度目盛表示部
６        窓孔
７        寸勾配尺目盛
８        勾配尺目盛表示部
Ｋ        勾配換算表
Ｐ        基準点
９        取手
１０      上面
１１      裏面
１２      挿込みスペース
１３      辷り止め体
１４      捨て木
１５      捨て木ガイド体
【図１】
0003121513.tif 000003
【図２】
0003121513.tif 000004
【図３】
0003121513.tif 000005
【図４】
0003121513.tif 000006
【図５】
0003121513.tif 000007
【図６】
0003121513.tif 000008